(57)【要約】      （修正有）【課題】デザイン性に優れるとともに使用に便利な使い捨てカップを提供する。【解決手段】シート基材５が型成形されて周壁部２と底部３とが一体のカップ形態とされた使い捨てカップにおいて、周壁部２の下部から途中高さにいたる部分が不透明とされ、周壁部２の途中高さより上の部分が透明とされてなる。【選択図】図１
0003155921.tif 000002
【実用新案登録請求の範囲】
【請求項１】
シート基材が型成形されて周壁部と底部とが一体のカップ形態とされた使い捨てカップにおいて、
前記周壁部の下部から途中高さにいたる部分が不透明とされ、前記周壁部の途中高さより上の部分が透明とされてなる使い捨てカップ。
【請求項２】
シート基材が型成形されて周壁部と底部とが一体のカップ形態とされた使い捨てカップにおいて、
前記シート基材がポリエチレンテレフタレート樹脂フィルムの２層構造であるとともに、前記ポリエチレンテレフタレート樹脂フィルムの一方の貼り合わせ面側に印刷が施されることで前記周壁部の下部から途中高さにいたる部分が不透明とされ、前記周壁部の途中高さより上の部分が透明とされてなる使い捨てカップ。
【請求項３】
前記周壁部の透明部分に模様が付されてなる請求項１または２記載の使い捨てカップ。
【考案の詳細な説明】
【技術分野】
【０００１】  この考案は、シート基材が型成形によりカップ形態とされたもので、弁当箱内におかずを区分けして入れるように用いたり、また、カップケーキ等の焼き菓子製造に用いる使い捨てカップに関する。
【背景技術】
【０００２】  上記の弁当箱内に使用する使い捨てカップとしてはアルミホイルよりなるものが一般的であるが、アルミホイルよりなるものは単に食材を区分けして納める容器としての機能は持つものの、デザイン面において限界がある。そこで、最近では弁当箱内におかずを可愛く、美しく配置するようにプラスチック材等のシート製のカップが提供されている。また、パーティー等においてもこのようなデザイン性に優れるカップが用いられるようになっている。
【考案の概要】
【考案が解決しようとする課題】
【０００３】  この考案では、プラスチック材等のシートよりなり、デザイン性に優れるとともに使用に便利な使い捨てカップを提供することを目的とする。【０００４】  請求項１の考案では、シート基材が型成形されて周壁部と底部とが一体のカップ形態とされた使い捨てカップにおいて、前記周壁部の下部から途中高さにいたる部分が不透明とされ、前記周壁部の途中高さより上の部分が透明とされてなる使い捨てカップを提供する。【０００５】  上記構成の使い捨てカップに食材が納められた場合、その食材は不透明部分に納められことで外面側からは見えにくくなって見栄えが良い。また、食材を納める際に不透明部分の上縁位置を目安として入れることで、常に適量の食材を納めることができる。【０００６】  請求項２の考案では、シート基材が型成形されて周壁部と底部とが一体のカップ形態とされた使い捨てカップにおいて、前記シート基材がポリエチレンテレフタレート（ＰＥＴ）樹脂フィルムの２層構造であるとともに、前記ポリエチレンテレフタレート樹脂フィルムの一方の貼り合わせ面側に印刷が施されることで前記周壁部の下部から途中高さにいたる部分が不透明とされ、前記周壁部の途中高さより上の部分が透明とされてなる使い捨てカップを提供する。【０００７】  この使い捨てカップにおいても請求項１のものと同様の作用効果が発揮され、さらに、ＰＥＴ樹脂フィルムよりなる基材シートにより構成されていることで、冷凍庫、オーブンレンジ内での使用が可能であり、くわえて、印刷模様と印刷層とがＰＥＴ樹脂フィルム間に密封された状態になり食材や手に触れることがないので、衛生的にも優れる。【０００８】  請求項１、２それぞれの考案の使い捨てカップは、型成形によりカップ形状を呈するものであれば、その平面形状は円形、楕円形、四角形、三角形等適宜の形態であってよい。また、その周壁部の不透明の度合いは、収納される食材が外面側から見えにくくする程度である。また、その周壁部における不透明とされる領域も、ある程度の巾を持ち収納される食材を外面側から見えにくくするように適宜設けられればよい。【０００９】  請求項１、２それぞれの考案において、周壁部の透明部分に模様が付されることで、よりデザイン性が高められる。
【考案の効果】
【００１０】  この考案によれば、デザイン性に優れるとともに使用に便利で、お弁当やパーティー等において楽しく用いられる使い捨てカップが得られる。また、デザイン性に優れるカップケーキ等の焼き菓子製造用の使い捨てカップが得られる。
【図面の簡単な説明】
【００１１】
【図１】  この考案の使い捨てカップの実施形態の外観斜視図
【図２】  この考案の使い捨てカップの部分端面図
【図３】  この考案の使い捨てカップに使用する内側ＰＥＴ樹脂フィルムの展開図
【図４】  この考案の使い捨てカップの他の実施形態の正面図
【考案を実施するための最良の形態】
【００１２】  図１はこの考案の使い捨てカップの実施形態の外観斜視図、図２は同部分端面図である。【００１３】  使い捨てカップ１は、縦方向に複数本の折り込み部４が並設されたロート状に開く周壁部２と、その下部に連続一体の略円形の底部３とからなり、全体が一枚の円形の基材シート５よりなる。使い捨てカップ１の製造は、多数枚重ねられた基材シート５が型内に納められ加熱成形されることで行われる。【００１４】  上記基材シート５としては、内面に帯電防止剤よりなるコーティング層２０が設けられるとともに外面に印刷模様６と印刷層７が付された内側ＰＥＴ樹脂フィルム８の外面に、外側ＰＥＴ樹脂フィルム９が接着剤１０により貼り付けられものが用いられている。【００１５】  図３は上記内側ＰＥＴ樹脂フィルム８の展開図で、上記印刷層７は内部の円形部分１３と所定幅の外周部分１４とを残す部分の全体にわたって環状に形成され、その外周部分１４に多数の印刷模様６が形成されている。印刷層７が、例えば全体が緑色とされることで、ＰＥＴ樹脂フィルム８、９、接着剤１０、コーティング層２０がともに透明であるので、使い捨てカップ１はその周壁部２の途中高さにいたる部分が緑色となって不透明部分ＮＣとなり、周壁部２の途中高さより上の部分が透明部分Ｃとなり、その透明部分Ｃに印刷模様６が位置している。【００１６】  上記使い捨てカップ１はその高さ寸法が４．５ｃｍ程度と通常の使い捨てカップに比して若干高く設計され、周壁部２において３ｃｍ程度の高さまで印刷層７が位置して不透明部分ＮＣとなっている。【００１７】  上記のような構成により、使い捨てカップ１に食材が納められた場合、その食材は不透明部分ＮＣに納められることで外面側からは見えにくくなって見栄えが良く、また、周壁部２の透明部分Ｃに印刷模様６が見えることで意匠性に優れる。さらに、食材を納める際に不透明部分ＮＣの上縁位置３０を目安として入れることで、常に適量の食材を納めることができる。また、上記したように、使い捨てカップ１はその高さ寸法が通常のものよりも若干高く設計されていることで、透明部分Ｃにある程度の高さ巾を持たす構造においても不透明部分ＮＣの高さが低くならない構成とされ、これにより適量の食材が納められる。【００１８】  重ね状態の上記使い捨てカップ１において１個のものを取り外す際、使い捨てカップ１どうしの密着が少なく容易に取り外せ、また、取り外した使い捨てカップ１が手に吸着することもほとんどなかった。さらに、使い捨てカップ１への埃等の付着もほとんどなかった。これらは、内側ＰＥＴ樹脂フィルム８が、帯電防止剤よりなるコーティング層２０を備えることで静電気にほとんど帯電していないことに起因すると考えられる。また、使い捨てカップ１はＰＥＴ樹脂フィルム８、９よりなる基材シート５により構成されていることで、冷凍庫、オーブンレンジ内での使用が可能である。くわえて、印刷模様６と印刷層７とがＰＥＴ樹脂フィルム８、９間に密封された状態になり食材や手に触れることがないので、衛生的にも優れる。【００１９】  図４はこの考案の使い捨てカップの第２の実施形態の側面図である。この実施形態における使い捨てカップ１は、周壁部２の透明部分Ｃがその傾斜角��が大きくされることで開いて鍔のように位置するもので、鍔の存在により高いデザイン性を発揮する。その他の構成は上記の実施形態のものと同様である。
【符号の説明】
【００２０】１    使い捨てカップ
２    周壁部
３    底部
５    基材シート
６    印刷模様
７    印刷層
８    内側ＰＥＴ樹脂フィルム
９    外側ＰＥＴ樹脂フィルム
Ｃ    透明部分
ＮＣ  不透明部分
【図１】
0003155921.tif 000003
【図２】
0003155921.tif 000004
【図３】
0003155921.tif 000005
【図４】
0003155921.tif 000006